(57)【要約】【課題】高速画像形成を実施した場合であっても、オフセットの発生を効果的に抑制できるインクジェット記録方法及びインクジェット記録装置を提供する。【解決手段】インクジェットヘッドを用いて記録媒体に対して画像形成を行うインクジェット記録方法及びインクジェット記録装置であって、下記工程（ａ）〜（ｃ）を含む。（ａ）記録媒体に対して、色材と、ラジカル性光重合開始剤と、を含有するインク組成物を、インクジェットヘッドを用いて吐出し、画像を形成する工程（ｂ）記録媒体上における画像が形成された部分に対して、重合性樹脂微粒子と、ラジカル重合性モノマーと、を含有する処理液を塗布する工程（ｃ）記録媒体における処理液が塗布された部分に対して光照射を行い、画像の表面に保護膜を形成する工程【選択図】図１
2010046844.tif 000002
【特許請求の範囲】
【請求項１】
インクジェットヘッドを用いて記録媒体に対して画像形成を行うインクジェット記録方法であって、
下記工程（ａ）〜（ｃ）を含むことを特徴とするインクジェット記録方法。
（ａ）前記記録媒体に対して、色材と、ラジカル性光重合開始剤と、を含有するインク組成物を、前記インクジェットヘッドを用いて吐出し、画像を形成する工程
（ｂ）前記記録媒体上における前記画像が形成された部分に対して、重合性樹脂微粒子と、ラジカル重合性モノマーと、を含有する処理液を塗布する工程
（ｃ）前記記録媒体上における前記処理液が塗布された部分に対して光照射を行い、前記画像の表面に保護膜を形成する工程
【請求項２】
インクジェットヘッドを用いて記録媒体に対して画像形成を行うインクジェット記録方法であって、
下記工程（ａ）〜（ｃ）を含むことを特徴とするインクジェット記録方法。
（ａ）前記記録媒体に対して、色材と、ラジカル重合性モノマーと、を含有するインク組成物を、前記インクジェットヘッドを用いて吐出し、画像を形成する工程
（ｂ）前記記録媒体上における前記画像が形成された部分に対して、重合性樹脂微粒子と、ラジカル性光重合開始剤と、を含有する処理液を塗布する工程
（ｃ）前記記録媒体上における前記処理液が塗布された部分に対して光照射を行い、前記画像の表面に保護膜を形成する工程
【請求項３】
前記重合性樹脂微粒子を、スチレン樹脂、アクリル樹脂、スチレンアクリル樹脂、ポリエステル樹脂及びエポキシ樹脂からなる群より選択される少なくとも一種の樹脂を主成分とし、かつ、カルボキシル基、水酸基、エポキシ基、アクリル基、メタクリル基、脂環式エポキシ基及びオキセタニル基からなる群より選択される少なくとも一種の官能基を有する重合性樹脂微粒子とすることを特徴とする請求項１または２に記載のインクジェット記録方法。
【請求項４】
前記処理液の全体量に対する前記重合性樹脂微粒子の含有量を０．１〜１０重量％の範囲内の値とすることを特徴とする請求項１〜３のいずれか一項に記載のインクジェット記録方法。
【請求項５】
前記重合性樹脂微粒子の数平均粒子径を０．０１〜１０ｎｍの範囲内の値とすることを特徴とする請求項１〜４のいずれか一項に記載のインクジェット記録方法。
【請求項６】
前記ラジカル性光重合開始剤を、ベンゾインイソブチルエーテル、ベンゾフェノン、アセトフェノン、α−アミノケトン、α−ヒドロキシケトン、モノアシルフォスフィンオキサイド、ビスアシルフォスフィンオキサイド、チオキサントン及びオキシム系化合物からなる群より選択される少なくとも一種とするとともに、前記インク組成物に対して含有させ、かつ、その含有量を前記インク組成物の全体量に対して０．０１〜３０重量％の範囲内の値とすることを特徴とする請求項１〜５のいずれか一項に記載のインクジェット記録方法。
【請求項７】
前記ラジカル重合性モノマーを、Ｎ−ビニルフォルムアミド、イソボルニルアクリレート、フェノキシエチルアクリレート、アクリロイルモルホリン及びＮ，Ｎ−ジメチルアクリルアミドからなる群より選択される少なくとも一種とするとともに、前記処理液に対して含有させ、かつ、その含有量を前記処理液の全体量に対して５〜３０重量％の範囲内の値とすることを特徴とする請求項１〜６のいずれか一項に記載のインクジェット記録方法。
【請求項８】
前記処理液の塗布量を、前記インク組成物の吐出量１００重量部に対して１０〜２００重量部の範囲内の値とすることを特徴とする請求項１〜７のいずれか一項に記載のインクジェット記録方法。
【請求項９】
前記処理液の塗布を、ピエゾ方式のインクジェットヘッドから前記処理液を吐出することにより行うことを特徴とする請求項１〜８のいずれか一項に記載のインクジェット記録方法。
【請求項１０】
前記工程（ｃ）の後に、さらに加熱定着工程を設けることを特徴とする請求項１〜９のいずれか一項に記載のインクジェット記録方法。
【請求項１１】
インクジェットヘッドを用いて記録媒体に対して画像形成を行うインクジェット記録装置であって、
前記記録媒体に対して、色材と、ラジカル性光重合開始剤と、を含有するインク組成物を吐出し、画像を形成するインクジェットヘッドと、
前記記録媒体上における前記画像が形成された部分に対して、重合性樹脂微粒子と、ラジカル重合性モノマーと、を含有する処理液を塗布する処理液塗布手段と、
前記記録媒体上における前記処理液が塗布された部分に対して、前記画像の表面に保護膜を形成するための光照射を行う光照射手段と、
を備えることを特徴とするインクジェット記録装置。
【請求項１２】
インクジェットヘッドを用いて記録媒体に対して画像形成を行うインクジェット記録装置であって、
前記記録媒体に対して、色材と、ラジカル重合性モノマーと、を含有するインク組成物を吐出し、画像を形成するインクジェットヘッドと、
前記記録媒体上における前記画像が形成された部分に対して、重合性樹脂微粒子と、ラジカル性光重合開始剤と、を含有する処理液を塗布する処理液塗布手段と、
前記記録媒体上における前記処理液が塗布された部分に対して、前記画像の表面に保護膜を形成するための光照射を行う光照射手段と、
を備えることを特徴とするインクジェット記録装置。
【発明の詳細な説明】
【技術分野】
【０００１】
本発明は、インクジェット記録方法及びインクジェット記録装置に関する。特に、高速画像形成を実施した場合であっても、オフセットの発生を効果的に抑制できるインクジェット記録方法及びインクジェット記録装置に関する。
【背景技術】
【０００２】
近年、インクジェット記録技術は急速に進歩しており、銀塩写真に匹敵する高精細な画質を得ることが可能となっている。
しかしながら、インクジェット記録技術においては、画像形成速度を向上させようとすると、次のような問題が生じやすい。
すなわち、画像形成速度を高速化させると、インクが記録媒体に浸透する前に、記録媒体が排出ローラを通り排出されてしまう。その結果、インクが排出ローラに付着（オフセット）することとなるため、画像不良が発生しやすくなるという問題が見られる。
【０００３】
そこで、かかる問題を解決すべく、インク組成物中に光重合性化合物を含有させるとともに、記録媒体上に吐出されたかかるインク組成物に対して紫外線を照射し、硬化させる技術が開示されている（例えば、特許文献１）。
より具体的には、少なくともカチオン重合性化合物とラジカル性光重合開始剤を含有するインク組成物Ａと、少なくともラジカル重合性化合物と光酸発生剤を含有するインク組成物Ｂとからなる紫外線インクセットが開示されている。
【特許文献１】特開２００７−１１２９７０号公報（特許請求の範囲）
【発明の開示】
【発明が解決しようとする課題】
【０００４】
しかしながら、特許文献１の紫外線インクセットは、インク組成物Ａ及びインク組成物Ｂを混ぜ合わせるとともに、両インク組成物がそれぞれ重合性化合物を含有することからも明らかなように、インク組成物全体を紫外線硬化させることを目的としている。
そのため、高速画像形成を実施した場合には、インク組成物全体を十分に硬化させることができず、オフセットを抑制することが困難となる場合が見られた。
そこで、特許文献１においては、インク組成物中におけるラジカル重合を促進させるべく、シリカ、アルミナ、チタニア及び酸化カルシウム等の無機化合物からなる重合性微粒子を用いる技術が、さらに開示されている。
しかしながら、かかる無機化合物からなる重合性微粒子を用いた場合であっても、インク組成物の硬化速度を十分に向上させることは困難であった。
【０００５】
そこで、本発明者は、鋭意検討した結果、所定のインク組成物によって画像を形成した部分に対して、重合性樹脂微粒子等を含有した所定の処理液を塗布し、さらに、当該処理液を塗布した部分に対して光照射を行うことにより、画像の表面を選択的に光硬化させて、所定強度を有する保護膜を速やかに形成することができることを見出した。
その結果、高速画像形成を行った場合であっても、オフセットの発生を効果的に抑制できることを見出すに至った。
すなわち、本発明の目的は、高速画像形成を実施した場合であっても、オフセットの発生を効果的に抑制できるインクジェット記録方法及びインクジェット記録装置を提供することにある。
【課題を解決するための手段】
【０００６】
本発明によれば、インクジェットヘッドを用いて記録媒体に対して画像形成を行うインクジェット記録方法であって、下記工程（ａ）〜（ｃ）を含むことを特徴とするインクジェット記録方法が提供され、上述した問題を解決することができる。
（ａ）記録媒体に対して、色材と、ラジカル性光重合開始剤と、を含有するインク組成物を、インクジェットヘッドを用いて吐出し、画像を形成する工程
（ｂ）記録媒体上における画像が形成された部分に対して、重合性樹脂微粒子と、ラジカル重合性モノマーと、を含有する処理液を塗布する工程
（ｃ）記録媒体上における処理液が塗布された部分に対して光照射を行い、画像の表面に保護膜を形成する工程
すなわち、所定のインク組成物によって画像を形成した部分に対して、重合性樹脂微粒子等を含有した所定の処理液を塗布し、さらに、当該処理液を塗布した部分に対して光照射を行うことにより、画像の表面を選択的に光硬化させて、所定強度を有する保護膜を速やかに形成することができる。
その結果、インク組成物が記録媒体に対して完全に浸透し切れていない状態であっても、インク組成物が排出ローラ等に付着する現象、所謂オフセットの発生を効果的に抑制することができる。
したがって、本発明のインクジェット記録方法であれば、高速画像形成を実施した場合であっても、オフセットの発生を効果的に抑制することができる。
【０００７】
また、本発明の別の態様は、上述したインク組成物におけるラジカル性光重合開始剤と、処理液におけるラジカル重合性モノマーと、を互いに交換した構成としたインクジェット記録方法であるが、発明の効果は、上述した内容と同様である。
【０００８】
また、本発明のインクジェット記録方法を実施するにあたり、重合性樹脂微粒子を、スチレン樹脂、アクリル樹脂、スチレンアクリル樹脂、ポリエステル樹脂及びエポキシ樹脂からなる群より選択される少なくとも一種の樹脂を主成分とし、かつ、カルボキシル基、水酸基、エポキシ基、アクリル基、メタクリル基、脂環式エポキシ基及びオキセタニル基からなる群より選択される少なくとも一種の官能基を有する重合性樹脂微粒子とすることが好ましい。
このように実施することにより、画像の表面において、所定の強度を有する保護膜をより速やかに形成することができる。
【０００９】
また、本発明のインクジェット記録方法を実施するにあたり、処理液の全体量に対する重合性樹脂微粒子の含有量を０．１〜１０重量％の範囲内の値とすることが好ましい。
このように実施することにより、画像を形成しているインク組成物の表面を、処理液によってより安定的に被覆することができる。
【００１０】
また、本発明のインクジェット記録方法を実施するにあたり、重合性樹脂微粒子の数平均粒子径を０．０１〜１０ｎｍの範囲内の値とすることが好ましい。
このように実施することにより、処理液中における重合性樹脂微粒子の分散性を向上させつつ、画像の表面における保護膜の膜厚を、容易に制御することができ、ひいては、保護膜の強度を容易に制御することができる。
【００１１】
また、本発明のインクジェット記録方法を実施するにあたり、ラジカル性光重合開始剤を、ベンゾインイソブチルエーテル、ベンゾフェノン、アセトフェノン、α−アミノケトン、α−ヒドロキシケトン、モノアシルフォスフィンオキサイド、ビスアシルフォスフィンオキサイド、チオキサントン及びオキシム系化合物からなる群より選択される少なくとも一種とするとともに、インク組成物に対して含有させ、かつ、その含有量をインク組成物の全体量に対して０．０１〜３０重量％の範囲内の値とすることが好ましい。
このように実施することにより、画像の表面において、所定の強度を有する保護膜を、さらに速やかに形成することができる一方で、インク組成物及び処理液の保存性をより向上させることができる。
【００１２】
また、本発明のインクジェット記録方法を実施するにあたり、ラジカル重合性モノマーを、Ｎ−ビニルフォルムアミド、イソボルニルアクリレート、フェノキシエチルアクリレート、アクリロイルモルホリン及びＮ，Ｎ−ジメチルアクリルアミドからなる群より選択される少なくとも一種とするとともに、処理液に対して含有させ、かつ、その含有量を処理液の全体量に対して、５〜３０重量％の範囲内の値とすることが好ましい。
このように実施することにより、画像の表面において、所定の強度を有する保護膜をさらに速やかに形成することができる一方で、インク組成物及び処理液の保存性をより向上させることができる。
【００１３】
また、本発明のインクジェット記録方法を実施するにあたり、処理液の塗布量を、インク組成物の吐出量１００重量部に対して１０〜２００重量部の範囲内の値とすることが好ましい。
このように実施することにより、画像の表面において、ラジカル重合性モノマー及び重合性樹脂微粒子を過不足無く重合させて、所定の強度を有する保護膜をさらに速やかに形成することができる。
【００１４】
また、本発明のインクジェット記録方法を実施するにあたり、処理液の塗布を、ピエゾ方式のインクジェットヘッドから処理液を吐出することにより行うことが好ましい。
このように実施することにより、処理液の塗布量及び塗布箇所を正確に制御することができる。
【００１５】
また、本発明のインクジェット記録方法を実施するにあたり、工程（ｃ）の後に、さらに加熱定着工程を設けることが好ましい。
このように実施することにより、記録媒体に浸透し切れなかったインク組成物を、オフセットを抑制しつつ、十分に乾燥させることができる。
【００１６】
また、本発明のさらに別の態様は、インクジェットヘッドを用いて記録媒体に対して画像形成を行うインクジェット記録装置であって、記録媒体に対して、色材と、ラジカル性光重合開始剤と、を含有するインク組成物を吐出し、画像を形成するインクジェットヘッドと、記録媒体上における画像が形成された部分に対して、重合性樹脂微粒子と、ラジカル重合性モノマーと、を含有する処理液を塗布する処理液塗布手段と、記録媒体上における処理液が塗布された部分に対して、画像の表面に保護膜を形成するための光照射を行う光照射手段と、を備えることを特徴とするインクジェット記録装置である。
すなわち、かかるインクジェット記録装置であれば、上述した所定のインクジェット記録方法を容易に実施することができる。
したがって、高速画像形成を実施した場合であっても、オフセットの発生を効果的に抑制することができる。
【００１７】
また、本発明のさらに別の態様は、上述したインク組成物におけるラジカル性光重合開始剤と、処理液におけるラジカル重合性モノマーと、を互いに交換した構成としたインクジェット記録装置であるが、発明の効果は、上述した内容と同様である。
【発明を実施するための最良の形態】
【００１８】
本発明の実施形態は、インクジェットヘッドを用いて記録媒体に対して画像形成を行うインクジェット記録方法であって、下記工程（ａ）〜（ｃ）を含むことを特徴とするインクジェット記録方法である。
（ａ）記録媒体に対して、色材と、ラジカル性光重合開始剤と、を含有するインク組成物を、インクジェットヘッドを用いて吐出し、画像を形成する工程
（ｂ）記録媒体上における画像が形成された部分に対して、重合性樹脂微粒子と、ラジカル重合性モノマーと、を含有する処理液を塗布する工程
（ｃ）記録媒体における処理液が塗布された部分に対して光照射を行い、画像の表面に保護膜を形成する工程
また、本発明の別の態様としての、上述したインク組成物におけるラジカル性光重合開始剤と、処理液におけるラジカル重合性モノマーと、を互いに交換した構成としたインクジェット記録方法である。
以下、本発明の実施形態としてのインクジェット記録方法について、具体的に説明する。
なお、本発明のさらに別の実施形態としてのインクジェット記録装置については、インクジェット記録方法の説明中において同時に説明する。
【００１９】
１．概略
本発明のインクジェット記録方法の概略を、図１及び図２を用いて説明する。
本発明のインクジェット記録方法は、図１に示すようなインクジェット記録装置２０を用いて実施することができる。
かかるインクジェット記録装置２０は、記録媒体の搬送方向Ａにおける上流側において、インクジェットヘッド４を備えるとともに、その下流側において、処理液塗布手段３を備え、さらにその下流側において、光照射手段１０を備えた構成とすることができる。
ここで、インクジェットヘッド４は、給紙ローラ５及び搬送機構６によって搬送されてくる記録媒体に対して所定のインク組成物を吐出し、画像を形成するための手段であり、かかるインクジェットヘッド４によって、本発明のインクジェット記録方法における工程（ａ）が実施される。
また、処理液塗布手段３は、所定の処理液を、記録媒体上における画像が形成された部分に対して塗布するための手段であり、かかる処理液塗布手段３によって、本発明のインクジェット記録方法における工程（ｂ）が実施される。
そして、光照射手段１０は、所定の処理液が塗布された部分に対して光照射を行い、画像の表面に保護膜を形成するための手段であり、かかる光照射手段１０によって、本発明のインクジェット記録方法における工程（ｃ）が実施される。
【００２０】
より具体的には、図２（ａ）に示すように、本発明のインク組成物には、色材と、ラジカル性光重合開始剤あるいはラジカル重合性モノマーのいずれか一方が含有されている。
一方、本発明の処理液には、重合性樹脂微粒子と、インク組成物に含有されていないラジカル性光重合開始剤あるいはラジカル重合性モノマーの一方と、が含まれている。
したがって、図２（ｂ）に示すように、工程（ａ）の後に工程（ｂ）を実施することによって、特に重合性樹脂微粒子が、処理液２３の比重や粘度を所定の範囲とすることに寄与することから、処理液２３によってインク組成物２４の表面を安定的に被覆することができる。
その結果、工程（ｃ）において光照射を行うことにより、インク組成物２４の表面を被覆している処理液２３中の重合性樹脂微粒子同士が、インク組成物２４あるいは処理液２３のいずれかに含有されているラジカル重合性モノマーの光重合によって一体化され、画像の表面が選択的に光硬化されることとなる。
このように、工程（ａ）〜（ｃ）を実施することにより、画像の表面を選択的に光硬化させて、所定強度を有する保護膜を速やかに形成することができる。
その結果、インク組成物が記録媒体に対して完全に浸透し切れていない状態であっても、インク組成物が排出ローラ等に付着する現象、所謂オフセットの発生を効果的に抑制することができる。
したがって、本発明のインクジェット記録方法及びインクジェット記録装置であれば、高速画像形成を実施した場合であっても、オフセットの発生を効果的に抑制することができる。
なお、本発明においては、画像の表面を選択的、かつ速やかに光硬化させることから、画像全体を光硬化させる場合と比較して、酸素によるラジカル重合阻害が生じにくく、例えば、補助的にカチオン重合性モノマー等を併用せずとも、十分に所定の強度を有する保護膜を形成することができる。
さらに、画像の表面を選択的に光硬化させることから、画像全体を光硬化させる場合と比較して、ラジカル重合性モノマーの絶対量が少なくてすむため、モノマー成分に特有の臭いの問題についても効果的に抑制することが可能である。
以下、工程（ａ）〜（ｃ）を、各工程ごとに説明する。
【００２１】
２．工程（ａ）
本発明における工程（ａ）は、記録媒体に対して、色材と、ラジカル性光重合開始剤あるいはラジカル重合性モノマーのいずれか一方と、を含有するインク組成物を、インクジェットヘッドを用いて吐出し、画像を形成する工程である。
【００２２】
（１）インク組成物
（１）−１  色材
本発明における色材としては、特に制限されるものではなく、一般的に使用されている染料や顔料を用いることができる。
染料としては、例えば、直接染料、酸性染料、反応染料、分散染料、建染染料等が挙げられる。これらの染料の含有量は液媒体成分の種類、インクに要求される特性等に依存して決定されるが、一般にはインク全重量に対して０．５〜１５重量％、好ましくは１〜７重量％の範囲である。
【００２３】
また、顔料としては、一般のインクジェット記録用インクで使用できる各種の無機顔料および有機顔料が使用可能であるが、例えば、Ｃ．Ｉ．ピグメントイエロー９３、９５、１０９、１１０、１２０、１２８、１３８、１３９、１５１、１５４、１５５、１７３、１８０、１８５、１９３、Ｃ．Ｉ．ピグメントオレンジ３４、３６、４３、６１、６３、７１、Ｃ．Ｉ．ピグメントレッド１２２、２０２、Ｃ．Ｉ．ピグメントブルー１５、Ｃ．Ｉ．ピグメントバイオレット１９、２３、３３、Ｃ．Ｉ．ピグメントブラック７等を挙げることができる。
【００２４】
なお、顔料の体積平均粒径としては、インクの色濃度、色相、インク安定性などの観点から、５０〜２００ｎｍの範囲内の値とすることが好ましい。
【００２５】
また、顔料の使用量が少なくなりすぎるとインクの色濃度が低下し、一方、多くなりすぎるとインク粘度や流動性の面から印刷が困難となる場合がある。
したがって、顔料の好適な使用量は、インクジェット記録用インク組成物全量中に１〜４０重量％程度であり、より好適には２〜３０重量％程度である。
【００２６】
（１）−２  ラジカル性光重合開始剤
また、本発明のインク組成物は、ラジカル性光重合開始剤あるいはラジカル重合性モノマーのいずれか一方を含有することを特徴とする。
さらに、本発明においては、ラジカル性光重合開始剤あるいはラジカル重合性モノマーのうち、一方はインク組成物に含有され、もう一方は、後述する処理液に含有されることを特徴としている。
この理由は、ラジカル性光重合開始剤と、ラジカル重合性モノマーとを、それぞれ別の液中に含有させることにより、インク組成物及び処理液の保存性を向上させることができるためである。
したがって、混乱をさけるため、本実施形態においては、ラジカル性光重合開始剤をインク組成物に含有させ、ラジカル重合性モノマーを処理液に含有させた場合を記載する。
なお、ラジカル性光重合開始剤をインク組成物に含有させた場合、工程（ｂ）において塗布される処理液において、ラジカル性光重合開始剤と、重合性樹脂微粒子及びラジカル重合性モノマーと、が並存しないこととなるため、インク組成物及び処理液の保存性をより向上させることに寄与することとなる。
【００２７】
本発明におけるラジカル性光重合開始剤は、特に限定されるものではないが、ベンゾインイソブチルエーテル、ベンゾフェノン、アセトフェノン、α−アミノケトン、α−ヒドロキシケトン、モノアシルフォスフィンオキサイド、ビスアシルフォスフィンオキサイド、チオキサントン及びオキシム系化合物からなる群より選択される少なくとも一種とすることが好ましい。
この理由は、これらのラジカル性光重合開始剤であれば、後の工程（ｂ）及び（ｃ）を経て、画像の表面において、所定の強度を有する保護膜をより速やかに形成することができる一方で、インク組成物及び処理液の保存性をより向上させることができるためである。
また、これらのラジカル性光重合開始剤であれば、液中に存在する顔料等の粒子状物質の分散安定性を阻害することがないためである。
【００２８】
また、ラジカル性光重合開始剤の含有量を、インク組成物の全体量に対して０．０１〜３０重量％の範囲内の値とすることが好ましい。
この理由は、ラジカル性光重合開始剤の含有量をかかる範囲とすることにより、画像の表面において、所定の強度を有する保護膜をさらに速やかに形成することができる一方で、インク組成物及び処理液の保存性をさらに向上させることができるためである。
すなわち、ラジカル性光重合開始剤の含有量が０．０１重量％未満の値となると、その絶対量が不足して、処理液に含有されるラジカル重合性モノマー及び重合性樹脂微粒子を十分に重合させることが困難となる場合があるためである。一方、ラジカル性光重合開始剤の含有量が３０重量％を超えた値となると、インク組成物の保存性が過度に低下したり、形成画像の色合いに影響を及ぼす場合があるためである。
したがって、ラジカル性光重合開始剤の含有量を、インク組成物の全体量に対して０．０１〜１０重量％の範囲内の値とすることがより好ましく、０．０５〜８重量％の範囲内の値とすることがさらに好ましい。
なお、ラジカル性光重合開始剤を処理液に含有させる場合であっても、処理液の全体量に対して、上述した数値範囲で含有させることができる。
【００２９】
（１）−３  その他の組成
本発明におけるインク組成物は、一般的なインク組成物と同様に、インク組成物の全体量に対して、水を５０〜９０重量％含有する。
また、さらに、水溶性有機溶剤を含有してもよい。
かかる水溶性有機溶剤としては、例えば、ジメチルホルムアミド、ジメチルアセトアミド等のアミド類、アセトン等のケトン類、テトラヒドロフラン、ジオキサン等のエーテル類、ポリエチレングリコール、ポリプロピレングリコール等のポリアルキレングリコール類、エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類、グリセリン、そしてエチレングリコールメチル（またはエチル）エーテル、ジエチレングリコールメチル（またはエチル）エーテル、トリエチレングリコールモノメチル（またはエチル）エーテル等の多価アルコールの低級アルキルエーテル類、Ｎ−メチル−２−ピロリドン、１，３−ジメチル−２−イミダゾリジノン、トリエタノールアミン、スルホラン、ジメチルサルフォキサイド等が挙げられる。
なお、かかる水溶性有機溶剤は、インク組成物の全体量に対して１〜４０重量％の範囲内で含有させることが好ましい。
【００３０】
また、溶媒中に顔料を分散させるために使用する分散剤としては、溶剤に可溶な各種顔料分散剤が使用できる。例えば、ソルビタン脂肪酸エステル(ソルビタンモノオレート、ソルビタンモノラウレート、ソルビタンセスキオレエート、ソルビタントリオレート等)、ポリオキシエチレンソルビタン脂肪酸エステル(ポリオキシエチレンソルビタンモノステアレート、ポリオキシエチレンソルビタンモノオレエート等)、ポリエチレングリコール脂肪酸エステル(ポリオキシエチレンモノステアレート、ポリエチレングリコールジイソステアレート等)、ポリオキシエチレンアルキルフェニルエーテル、ポリオキシエチレンオクチルフェニルエーテル等)などのノニオン活性剤が適している。
さらに、ノニオン活性剤に加えて、アニオン活性剤あるいはカチオン活性剤として一般に知られている活性剤(分散剤)も本発明には使用できる。
また、分散剤の添加量は、インク組成物全量に対して０．０１〜１重量％添加することが好ましい。
この理由は、０．０１重量％未満であると顔料の十分な分散できない場合があり、逆に、１重量％以上であるとインクジェットノズルからの吐出安定性が悪化する場合があるためである。
【００３１】
また、酸化防止剤を含有することが好ましい。これにより、インク組成物の酸化を効果的に防止することができ、より保存安定性及び吐出安定性に優れたインク組成物を得ることができるためである。
かかる酸化防止剤としては、例えば、アルキルフェノール系化合物、フェニレンジアミン等のアミン系化合物、ヒンダードフェノール系化合物、ヒドロキノン系化合物、ヒドロキシルアミン系化合物などが挙げられる。ヒンダードフェノール系化合物は長期保存を目的とした酸化防止剤として優れ、酸化生成物がさして着色しないことからジブチルヒドロキシトルエン（ＢＨＴ）やブチルヒドロキシアニソール（ＢＨＡ）等が好ましい。また、重合禁止剤として用いられ、急速短期の酸化防止機能に優れるフェノール系化合物のうちハイドロキノン、ガレート等のフェノール性ＯＨを持った化合物等を用いても良い。またそれらを適宜、併用することも可能である。
また、酸化防止剤の添加量は使用する酸化防止剤、使用環境によって異なるが、インク組成物全量に対して０．０１〜１重量％添加することが好ましい。
この理由は、０．０１重量％未満であると酸化による異物の発生を充分に抑制することができず、インクジェットノズルからの吐出安定性が悪化する場合があるためである。一方、酸化防止剤を１重量％よりも多く添加しても、酸化防止のさらなる効果は期待できず、逆に吐出性が悪化する恐れがあるためである。
【００３２】
（２）インク組成物の吐出方法
本発明におけるインク組成物の吐出については、インクジェットヘッドを用いて行うことを特徴とする。
なお、インクジェットヘッドを用いたインク組成物の吐出方法としては、例えば、ピエゾ方式及びサーマル方式等が挙げられるが、本発明においては、いずれの方式を採用してもよい。
一方、インク吐出量を比較的簡単に制御でき、さらに、インクを加熱しないため、サーマル方式に比べて幅広いインク組成に対応可能であるといった観点から、ピエゾ方式とすることがより好ましい。
【００３３】
３．工程（ｂ）
本発明における工程（ｂ）は、記録媒体上における画像が形成された部分に対して、インク組成物にラジカル性光重合開始剤が含有されている場合には、重合性樹脂微粒子と、ラジカル重合性モノマーとを、インク組成物にラジカル重合性モノマーが含有されている場合には、重合性樹脂微粒子と、ラジカル性光重合開始剤とを、含有する処理液を塗布する工程である。
【００３４】
（１）処理液
（１）−１  重合性樹脂微粒子
本発明の処理液は、重合性樹脂微粒子を含有することを特徴とする。
この理由は、重合性樹脂微粒子を含有させない場合、ラジカル重合性モノマーのみを重合させることによって、工程（ａ）において形成した画像の表面に保護膜を形成しなければならないこととなるためである。
このように重合性樹脂微粒子を含有させない場合、保護膜を光硬化により所定強度とするまでに、非常に時間がかかることとなる。
一方、重合性樹脂微粒子を含有させた場合、光硬化をさせる前の段階において、既に一部光硬化しているのと同様の状態であるため、ラジカル重合性モノマーは、光硬化によって重合性樹脂微粒子同士を一体化させる役割を担うのみとなる。
したがって、重合性樹脂微粒子を含有させた場合、保護膜を光硬化により所定強度とするまでの時間を、著しく短縮させることができるためである。
また、重合性樹脂微粒子が、処理液の比重や粘度を所定の範囲とすることに寄与することから、処理液によって、画像を形成しているインク組成物の表面を安定的に被覆することができ、保護膜を光硬化により所定強度とするまでの時間を、さらに短縮させることができるためである。
すなわち、後の工程（ｃ）において光照射を行うことにより、インク組成物の表面を被覆している処理液中の重合性樹脂微粒子同士が、インク組成物あるいは処理液のいずれかに含有されているラジカル重合性モノマーの光重合によって一体化され、画像の表面が選択的に光硬化されるためである。
なお、上述したように画像の表面を選択的に光硬化させるにあたっては、処理液の比重や粘度における重合性樹脂微粒子の寄与が必要なのであり、例えば、シリカ、アルミナ及びチタニア等の無機化合物を主構成要素とする重合性微粒子では、本発明の効果を得ることができないことが、別途確認されている。
【００３５】
また、本発明における重合性樹脂微粒子とは、カルボキシル基、水酸基、エポキシ基、アクリル基、脂環式エポキシ基及びオキセタニル基等、ラジカル重合性モノマーとラジカル重合可能な官能基を有する樹脂からなる微粒子を意味する。
また、かかる重合性樹脂微粒子を構成する樹脂の種類としては、所定の無色透明性さえ有していれば、特に限定されるものではなく、例えば、スチレン樹脂、アクリル樹脂、スチレンアクリル樹脂、ポリエステル樹脂及びエポキシ樹脂等の樹脂を使用することができる。
上述した官能基を有し、かつ、これらの樹脂を含む重合性樹脂微粒子であれば、画像の表面において所定の強度を有する保護膜を、より速やかに形成することができる。
【００３６】
また、重合性樹脂微粒子に含まれる樹脂成分の粘度平均分子量としては、５，０００〜５００，０００の範囲内の値とすることが好ましく、８，０００〜１２０，０００の範囲内の値とすることがより好ましい。
【００３７】
また、処理液の全体量に対する重合性樹脂微粒子の含有量を、０．１〜１０重量％の範囲内の値とすることが好ましい。
この理由は、重合性樹脂微粒子の含有量をかかる範囲とすることにより、画像を形成しているインク組成物の表面を、処理液によってより安定的に被覆することができるためである。
すなわち、重合性樹脂微粒子の含有量が０．１重量％未満の値となると、その絶対量が不足して、処理液の比重や粘度を所定の範囲とすることが困難となり、結果としてインク組成物の表面を、処理液によって安定的に被覆することが困難となる場合があるためである。一方、重合性樹脂微粒子の含有量が１０重量％を超えた値となると、重合性樹脂微粒子を処理液中で均一に分散させることが困難となったり、形成画像の色合いに影響を及ぼす場合があるためである。
したがって、処理液の全体量に対する重合性樹脂微粒子の含有量を、１〜８重量％の範囲内の値とすることがより好ましく、１〜６重量％の範囲内の値とすることがさらに好ましい。
【００３８】
また、重合性樹脂微粒子の数平均粒子径を０．０１〜１０μｍの範囲内の値とすることが好ましい。
この理由は、重合性樹脂微粒子の数平均粒子径をかかる範囲とすることにより、処理液中における重合性樹脂微粒子の分散性を向上させつつ、画像の表面における保護膜の膜厚を、容易に制御することができ、ひいては、保護膜の強度を容易に制御することができるためである。
すなわち、重合性樹脂微粒子の数平均粒子径が０．０１μｍ未満の値となると、保護膜の膜厚が過度に薄くなりやすくなって、所定強度の保護膜を形成することが困難となる場合があるためである。一方、重合性樹脂微粒子の数平均粒子径が１０μｍを超えた値となると、処理液中における重合性樹脂微粒子の分散性が過度に低下したり、形成画像の色合いに影響を及ぼす場合があるためである。
したがって、重合性樹脂微粒子の数平均粒子径を０．０５〜８μｍの範囲内の値とすることがより好ましく、０．１〜５μｍの範囲内の値とすることがさらに好ましい。
【００３９】
（１）−２  ラジカル重合性モノマー
また、本発明の処理液は、ラジカル性光重合開始剤あるいはラジカル重合性モノマーのうち、インク組成物に含有されていない方を含有することを特徴とする。
なお、工程（ａ）の項において記載したように、本実施形態においては、ラジカル重合性モノマーを処理液に含有させた場合を記載する。
かかるラジカル重合性モノマーは、工程（ａ）において吐出されたインク組成物に含有されるラジカル性光重合開始剤及び後の工程（ｃ）において光照射手段から照射される光によって光硬化し、上述した重合性樹脂微粒子同士を速やかに一体化させることに寄与する。
なお、本発明においては、画像の表面を選択的、かつ速やかに光硬化させることから、画像全体を光硬化させる場合と比較して、酸素による重合阻害が生じにくく、例えば、補助的にカチオン重合性モノマー等を併用せずとも、十分に所定の強度を有する保護膜を形成することができる。
さらに、画像の表面を選択的に光硬化させることから、画像全体を光硬化させる場合と比較して、ラジカル重合性モノマーの絶対量が少なくてすむため、モノマー成分に特有の臭いの問題についても効果的に抑制することが可能である。
【００４０】
また、本発明におけるラジカル重合性モノマーは、特に限定されるのもではないが、Ｎ−ビニルフォルムアミド、イソボルニルアクリレート、フェノキシエチルアクリレート、アクリロイルモルホリン及びＮ，Ｎ−ジメチルアクリルアミドからなる群より選択される少なくとも一種とすることが好ましい。
この理由は、これらのラジカル重合性モノマーであれば、画像の表面において、所定の強度を有する保護膜をより速やかに形成することができる一方で、インク組成物及びより液の保存性をより向上させることができるためである。
【００４１】
なお、その他の使用可能なラジカル重合性モノマーとしては、例えば、（２−メチル−２−エチル−１，３−ジオキソラン−４−イル）メチルアクリレート、（２−メチル−２−イソブチル−１，３−ジオキソラン−４−イル）メチルアクリレート、フェノキシエチルアクリレート、イソボニルアクリレート、メトキシジエチレングリコールモノアクリレート等の単官能モノマー、または、エチレングリコールジメタクリレート、ジエチレングリコールジメタクリレート、トリプロピレングリコールジアクリレート、１，９−ノナンジオールジアクリレート、ポリエチレングリコール＃４００ジアクリレート、テトラエチレングリコールジメタクリレート、１，６−ヘキサンジオールジメタクリレート、ネオペンチルグリコールジメタクリレート、２−ヒドロキシ−１，３−ジメタクリロキシプロパン等の二官能モノマー、または、トリメチロールプロパントリメタクリレート、トリメチロールプロパンＥＯ変性トリアクリレート、トリメチロールプロパンＰＯ変性トリアクリレート、グリセリンＰＯ変性トリアクリレート等の多官能モノマーが挙げられる。
【００４２】
また、ラジカル重合性モノマーの含有量を、処理液の全体量に対して５〜３０重量％の範囲内の値とすることが好ましい。
この理由は、ラジカル重合性モノマーの含有量をかかる範囲とすることにより、画像の表面において、所定の強度を有する保護膜をさらに速やかに形成することができる一方で、インク組成物及び処理液の保存性をより向上させることができるためである。
すなわち、ラジカル重合性モノマーの含有量が５重量％未満の値となると、その絶対量が不足して、重合性樹脂微粒子同士を速やかに一体化させることが困難となる場合があるためである。一方、ラジカル重合性モノマーの含有量が３０重量％を超えた値となると、処理液の保存性が過度に低下したり、形成画像の色合いに影響を及ぼす場合があるためである。
したがって、ラジカル重合性モノマーの含有量を、処理液の全体量に対して８〜２８重量％の範囲内の値とすることがより好ましく、１０〜２５重量％の範囲内の値とすることがさらに好ましい。
なお、ラジカル重合性モノマーをインク組成物に含有させる場合であっても、インク組成物の全体量に対して、上述した数値範囲で含有させることができる。
また、ラジカル重合性モノマーの他に、適宜ラジカル重合性オリゴマーを加えてもよい。
さらに、補助的にカチオン重合性モノマーを併用してもよいが、本発明においては、画像の表面を選択的、かつ速やかに光硬化させることから、画像全体を光硬化させる場合と比較して、酸素によるラジカル重合阻害が生じにくく、カチオン重合性モノマー等を併用せずとも、十分に所定の強度を有する保護膜を形成することができる。
したがって、補助的にカチオン重合性モノマーを併用するとしても、その含有量は、処理液もしくはインク組成物の全体量に対して、５〜１５重量％の範囲内とすべきである。
【００４３】
（１）−３  その他の組成
本発明における処理液は、処理液の全体量に対して、水を５０〜９９重量％及びグリセリンを１〜３０重量％の範囲内で含有させることが好ましい。
この理由は、処理液に対し水及びグリセリンをかかる範囲で含有させることにより、画像の表面において、所定の強度を有する保護膜をさらに速やかに形成することができるためである。
すなわち、水及びグリセリンの含有量を、それぞれ上述した範囲とすることにより、その他の成分と相俟って、処理液の粘度等の特性を好適な範囲にコントロールすることができ、ひいては所定の強度を有する保護膜をさらに速やかに形成することができるためである。
したがって、処理液の全体量に対して、水を６０〜９０重量％、グリセリンを５〜１０重量％の範囲内で含有させることがより好ましい。
【００４４】
また、より容易に処理液中における重合性樹脂微粒子等の分散性等を調節することができることから、界面活性剤を含有させることも好ましい。
かかる界面活性剤の種類としては、例えば、多環フェノールエトキシレート等の特殊フェノール型非イオン界面活性剤、または、グリセライトのエチレンオキサイド付加物、ポリエチレングリコールオレート、ポリオキシアルキレンタロエート、ソルビタンラウリルエステル、ソルビタンオレイルエステル、ポリオキシエチレンソルビタンオレイルエステル等のエステル型非イオン界面活性剤、または、ヤシ油脂肪酸ジエタノールアマイド、ポリオキシエチレンヤシ油脂肪酸モノエタノールアマイド等のアマイド型非イオン界面活性剤、または、アセチレングリコール及びそのエチレンオキサイド付加物、または、アルコールサルフェートナトリウム塩、高級アルコールサルフェートナトリウム塩、ポリオキシエチレンアルキルフェニルエーテル硫酸エステルアンモニウム塩、アルキルベンゼンスルフォン酸ナトリウム塩等の陰イオン界面活性剤、または、モノ長鎖アルキルカチオン、ジ長鎖アルキルカチオン、アルキルアミンオキサイド等の陽イオン界面活性剤、または、ラウリルアミドプロピル酢酸ベタイン、ラウリルアミノ酢酸ベタイン等の両性界面活性剤等を挙げることができ、これらの界面活性剤を単独或いは混合したものを用いることができる。
また、これらの界面活性剤の添加量としては、処理液の全体量に対して、０．１〜５重量％の範囲内の値とすることが好ましく、０．２〜１重量％の範囲内とすることがより好ましい。
【００４５】
なお、上述した構成材料に替えて、あるいは上述した構成材料に加えて、以下の材料を用いることもできる。
すなわち、エチレングリコール、ジエチレングリコール、トリエチレングリコール、プロピレングリコール、ブタンジオール、オクタンジオール、１，２−ヘキサンジオール、エチレングリコールモノブチルエーテル、トリエチレングリコールモノメチルエーテル、ジエチレングリコールモノメチルエーテル、エチレングリコールモノメチルエーテル、２−ブチル−２−エチル−１，３−プロパンジオール、３−メチル−１，５−ペンタジオール、２−エチル−２−メチル−１，３−プロパンジオール、２，４−ジチル−１，５−ペンタンジオール、２，４−ペンタンジオール、１，５−ペンタンジオール、２，２−ジメチル−１，３−プロパンジオール、２−メチル−１，３−プロパンジオール、トリメチロールプロパン、チオジグリコール等を用いることもできる。
【００４６】
また、本発明における処理液には、上述した組成以外にも、必要に応じて、粘度調整剤、ｐＨ調整剤、防腐防カビ剤等の各種添加剤を含有させることができる。
なお、処理液の粘度（２５℃）としては、２〜１００ｍＰａ・ｓの範囲内の値とすることが好ましく、処理液のｐＨとしては、５〜１２の範囲内の値とすることが好ましい。
【００４７】
（２）処理液の塗布方法
本発明における処理液の塗布方法は、記録媒体に対して所定量の処理液を安定的に塗布できる方法であれば、特に限定されるものではない。
例えば、多孔質の弾性体層を備えたローラにより、記録媒体に対して直接的に処理液を塗布する方法や、スプレーによって処理液を霧状に噴霧して、記録媒体に塗布する方法等、いずれであってもよく、塗布箇所としては、記録媒体の全面であっても、特定の部分であってもよい。
一方、特に好ましい塗布方法としては、ピエゾ方式のインクジェットヘッドから処理液を吐出することにより行う方法が挙げられる。
この理由は、ピエゾ方式のインクジェットへッドを用いた方法であれば、処理液の塗布量及び記録媒体上における塗布箇所を、正確に制御することができるためである。
また、サーマル方式のインクジェットヘッドを用いた場合と比較して、処理液が熱変性等するといった問題についても根本的に回避することができるためである。
【００４８】
また、処理液の塗布量を、インク組成物の吐出量１００重量部に対して、１０〜２００重量部の範囲内の値とすることが好ましい。
この理由は、インク組成物に対する処理液の塗布量をかかる範囲とすることにより、画像の表面において、ラジカル重合性モノマー及び重合性樹脂微粒子を過不足無く重合させて、所定の強度を有する保護膜をさらに速やかに形成することができるためである。
すなわち、処理液の塗布量がかかる範囲外の値となると、インク組成物の組成にもよるが、ラジカル重合性モノマー及び重合性樹脂微粒子に対してラジカル性光重合開始剤が過度に不足したり、あるいは過剰になったりして、光硬化が不安定となり、ひいては保護膜を速やかに形成することが困難となる場合があるためである。
したがって、処理液の塗布量を、インク組成物の吐出量１００重量部に対して、２０〜１５０重量部の範囲内の値とすることがより好ましく、５０〜１２０重量部の範囲内の値とすることがさらに好ましい。
なお、例えば、６００ｄｐｉの場合であれば、１画素当たりの処理液の塗布量を２１〜５０．４ピコリットル／画素（６００ｄｐｉ）の範囲内の値とすることが好ましい。
【００４９】
また、処理液の塗布を、画像が形成されている部分に対応させて行うことが好ましい。
つまり、画像を形成すべくインク組成物が吐出されている部分の形状及び面積に合わせて、処理液の塗布を行うことが好ましい。
この理由は、このように塗布することにより、処理液を節約できるばかりか、記録媒体におけるカールやコックリングの発生についても、効果的に抑制することができるためである。
このように、画像が形成される部分に対応させて処理液を塗布するためには、上述したように、ピエゾ方式のインクジェットヘッドから処理液を吐出することが好ましい。
かかる塗布方法であれば、インク組成物の吐出を制御するデータに基づいて、容易に処理液の塗布を制御することができるためである。
また、画像が形成されている部分に対応させて処理液を塗布する態様としては、例えば、図３（ａ）〜（ｃ）の態様が挙げられる。
すなわち、（ａ）の態様は、処理液２３の塗布形状及び面積が、インク組成物２４の吐出形状及び面積と一致する場合の態様である。
また、（ｂ）の態様は、処理液２３の塗布形状及び面積が、インク組成物２４の吐出形状及び面積よりも小さい場合の態様である。
さらに、（ｃ）の態様は、処理液２３の塗布形状及び面積が、インク組成物２４の吐出形状及び面積よりも大きい場合の態様である。
【００５０】
４．工程（ｃ）
本発明における工程（ｃ）は、記録媒体上における処理液が塗布された部分に対して光照射を行い、画像の表面に保護膜を形成する工程である。
【００５１】
本発明においては、工程（ｂ）において画像上に塗布された処理液を光硬化し、画像の表面において、所定強度を有する保護膜を速やかに形成するために、記録媒体における処理液が塗布された部分に対して、光照射を行うことを特徴とする。
【００５２】
本発明においては、光照射を行う際の照射光源について、特に制限されないが、波長が３５０〜４５０ｎｍの範囲内の値である光を発する照射光源とすることが好ましい。
具体的には、メタルハライドランプ、キセノンランプ、カーボンアーク灯、ケミカルランプ、低圧水銀ランプ、高圧水銀ランプ等のランプが挙げられる。
また、紫外線発光ダイオード（紫外線ＬＥＤ）や紫外線発光半導体レーザ等の紫外線発光半導体素子を用いることもできる。
【００５３】
また、紫外線の照射量としては、１０〜１００００ｍＪ／ｃｍ2の範囲内の値とすることが好ましく、５０〜６０００ｍＪ／ｃｍ2の範囲内の値とすることがより好ましい。
この理由は、紫外線の照射量をかかる範囲とすることにより、画像の表面において、所定強度を有する保護膜を速やかに形成することができるためである。
【００５４】
５．加熱定着装置
また、工程（ｃ）の後に、さらに加熱定着工程を実施することが好ましい。
この理由は、かかる工程をさらに実施することにより、記録媒体に浸透し切れなかったインク組成物を、オフセットを抑制しつつ、十分に乾燥させることができるためである。
かかる加熱定着工程を実施する方法としては、記録媒体に対して直接的に、棒状あるいは回転可能なロール状の熱源を接触させて過熱定着する方法や、遠赤外線、近赤外線及びマイクロウェーブ（２４５０ＭＨｚ程度に極大波長を有する電磁波）等を照射する方法、あるいは、熱風を吹き付ける方法等が挙げられるが、いずれの方法であってもよい。
特に、本発明であれば、記録媒体に対して直接熱源を接触させる方法を採用した場合であっても、画像の表面において、所定強度を有する保護膜を形成していることから、記録媒体に浸透し切れなかったインク組成物が熱源に対してオフセットすることを効果的に抑制し、安定的に過熱定着させることができる。
なお、かかる熱源の温度としては、５０〜３００℃の範囲内の値とすることが好ましく、１００〜２００℃の範囲内の値とすることがより好ましい。
【実施例】
【００５５】
以下、実施例に基づいて、本発明を詳細に説明する。
【００５６】
［実施例１］
１．インク組成物の調製
以下に示す組成の各材料をバッチ式縦型サンドミル（アイメックス（株）製）に仕込むとともに、メディアとしてジルコニアビーズを充填し、水冷しながら３時間分散処理を行い、分散液を得た。
次いで、得られた分散液を遠心分離機にかけて粗大粒子を除去し、分散粒子の数平均粒径を５０〜１５０ｎｍに調節し、顔料分散液とした。
ピグメントブルー１５：３                                    １５重量％
（大日精化（株）製、クロモファインブルー４９２０（β型銅フタロシアニン））
分散剤                                                        １重量％
（花王（株）製、エマルゲン４２０）
グリセリン                                                    ６重量％
水                                                          ７８重量％
【００５７】
次いで、以下に示す組成の各材料を攪拌機にて撹拌した後、得られた撹拌液を孔径０．５μｍのフィルタにて加圧ろ過し、インク組成物とした。
顔料分散液                                              １３．５重量％
分散剤１                                                  ０．２重量％
（花王（株）製、エマルゲン４２０）
分散剤２                                                ０．１５重量％
（日信化学工業（株）製、オルフィンＥ１０１０）
グリセリン                                                  １０重量％
ベンゾインイソブチルエーテル（ラジカル性光重合開始剤）        ２重量％
水                                                    ７４．１５重量％
【００５８】
２．処理液の調製
また、以下に示す組成の各材料を撹拌機にて撹拌した後、得られた撹拌液を孔径１０μｍのフィルタにてろ過し、処理液とした。
Ｎ−ビニルフォルムアミド（ラジカル重合性モノマー）          １５重量％
（荒川化学（株）製、ビームセット７７０）
グリセリン                                                  １０重量％
分散剤                                                  ０．１５重量％
（日信化学工業（株）製、オルフィンＥ１０１０）
アクリル基を導入したアクリル樹脂微粒子（重合性樹脂微粒子）    ５重量％
（東洋インキ（株）製、リオスフィア、数平均粒子径：２μｍ）
水                                                    ６９．８５重量％
【００５９】
３．オフセットの評価
図１で表されるインクジェット記録装置を用意した。
なお、かかるインクジェット記録装置においては、処理液塗布手段として、長尺インクジェットヘッドを用いた。
また、光照射手段としては、紫外線を照射する照射装置を用いた。
まず、インク組成物用タンクに対して、得られたインク組成物を充填するとともに、処理液用タンクに対して、得られた処理液を充填した後、ノズル形成面から出ている余剰液を、それぞれ別のワイプブレードにて掻き取った。
次いで、インク組成物用及び処理液用のそれぞれの長尺インクジェットヘッドのノズル面と、記録媒体と、の距離が１ｍｍとなるように固定した後、駆動周波数２０ｋＨｚにて、最大濃度のベタ画像（３０×３０ｍｍ）を記録媒体としてのＡ４のＰＰＣ用紙に対して連続１０枚印画した。このとき、ヘッド駆動周波数を２０ｋＨｚとし、印字速度は、３０枚／分の場合と、２０枚／分の場合と、の２通りを行った。
また、処理液の塗布は、印画画像の画像情報に基づいて、記録媒体における同画素部分に対応させて行った。すなわち、インク組成物が吐出された箇所にのみ、処理液を塗布した。このとき、処理液の塗布量は、インク組成物４２ピコリットル／画素（６００ｄｐｉ）に対して、４２ピコリットル／画素（６００ｄｐｉ）となるようにした（インク組成物：処理液＝１００：１００（重量比））。
さらに、光照射は、波長３６５ｎｍの光の積算光量が４００ｍＪ／ｃｍ2となるように行った。
次いで、印画後における排出ローラにインクが付着しているか否か、及び非印画部に排出ローラによる画像が版画されているか否かを確認し、下記基準に沿って評価した。得られた結果を表１に示す。
○：インクが排出ローラに付着しておらず、かつ、非印画部に画像が版画されていない。
△：インクが排出ローラに付着しているが、非印画部に画像が版画されていない。
×：インクが排出ローラに付着しており、かつ、非印画部に画像が版画されている。
【００６０】
また、使用した長尺インクジェットヘッドにおける個々のドット形成部の構成を、図４（ａ）〜（ｂ）に示す。
より具体的には、加圧室１０２の底面積が０．２ｍｍ2、幅が２００μｍ、深さが１００μｍ、ノズル流路１０４の直径が３０μｍ及び開口部１３０の半径が１０μｍのドット形成部１００を用いた。
また、かかるドット形成部１００を、１列につき１６６個、４列に並べ、合計６６４個を配列させて、長尺インクジェットヘッドとした。
また、同一列内のドット形成部１００のピッチを１５０ｄｐｉとし、また、隣り合う各列を順次１／４ピッチずらすことで、最終的に６００ｄｐｉとした。
【００６１】
［実施例２］
実施例２では、処理液を調製する際に、Ｎ−ビニルフォルムアミドの代わりに、アクリロイルモルホリン（興人（株）製、ＡＣＭＯ）を用いたほかは、実施例１と同様にインク組成物及び処理液を調製するとともに、評価した。得られた結果を表１に示す。
【００６２】
［実施例３］
実施例３では、処理液を調製する際に、Ｎ−ビニルフォルムアミドの代わりに、Ｎ，Ｎ−ジメチルアクリルアミド（興人（株）製、ＤＭＡＡ）を用いたほかは、実施例１と同様にインク組成物及び処理液を調製するとともに、評価した。得られた結果を表１に示す。
【００６３】
［比較例１］
比較例１では、処理液を調製する際に、アクリル基を導入したアクリル樹脂微粒子（リオスフィア）の代わりに、Ｎ−ビニルフォルムアミドを用いたほかは、実施例１と同様にインク組成物及び処理液を調製するとともに、評価した。得られた結果を表１に示す。
【００６４】
［比較例２］
比較例２では、処理液を調製する際に、アクリル基を導入したアクリル樹脂微粒子（リオスフィア）の代わりに、アクリロイルモルホリンを用いたほかは、実施例２と同様にインク組成物及び処理液を調製するとともに、評価した。得られた結果を表１に示す。
【００６５】
［比較例３］
比較例３では、処理液を調製する際に、アクリル基を導入したアクリル樹脂微粒子（リオスフィア）の代わりに、Ｎ，Ｎ−ジメチルアクリルアミドを用いたほかは、実施例３と同様にインク組成物及び処理液を調製するとともに、評価した。得られた結果を表１に示す。
【００６６】
［実施例４］
実施例４では、実施例１で調製した顔料分散液を含む下記組成の各材料を、実施例１と同様にして撹拌・ろ過し、インク組成物を得た。
顔料分散液                                              １３．５重量％
分散剤１                                                  ０．２重量％
（花王（株）製、エマルゲン４２０）
分散剤２                                                ０．１５重量％
（日信化学工業（株）製、オルフィンＥ１０１０）
グリセリン                                                  １０重量％
Ｎ−ビニルフォルムアミド（ラジカル重合性モノマー）          １５重量％
（荒川化学（株）製、ビームセット７７０）
水                                                    ６１．１５重量％
【００６７】
また、下記組成の各材料を、実施例１と同様にして撹拌・ろ過し、処理液を得た。
ベンゾインイソブチルエーテル（ラジカル性光重合開始剤）        ２重量％
グリセリン                                                  １０重量％
分散剤                                                  ０．１５重量％
（日信化学工業（株）製、オルフィンＥ１０１０）
アクリル基を導入したアクリル樹脂微粒子（重合性樹脂微粒子）    ５重量％
（東洋インキ（株）製、リオスフィア、数平均粒子径：２μｍ）
水                                                    ８２．８５重量％
【００６８】
それ以外は、実施例１と同様にインク組成物及び処理液を調製するとともに、評価した。得られた結果を表１に示す。
【００６９】
［実施例５］
実施例５では、インク組成物を調製する際に、Ｎ−ビニルフォルムアミドの代わりに、アクリロイルモルホリン（興人（株）製、ＡＣＭＯ）を用いたほかは、実施例４と同様にインク組成物及び処理液を調製するとともに、評価した。得られた結果を表１に示す。
【００７０】
［実施例６］
実施例６では、インク組成物を調製する際に、Ｎ−ビニルフォルムアミドの代わりに、Ｎ，Ｎ−ジメチルアクリルアミド（興人（株）製、ＤＭＡＡ）を用いたほかは、実施例４と同様にインク組成物及び処理液を調製するとともに、評価した。得られた結果を表１に示す。
【００７１】
［比較例４］
比較例４では、処理液を調製する際に、アクリル基を導入したアクリル樹脂微粒子（リオスフィア）を加えず、全体量を水で調節したほかは、実施例４と同様にインク組成物及び処理液を調製するとともに、評価した。得られた結果を表１に示す。
【００７２】
［比較例５］
比較例５では、処理液を調製する際に、アクリル基を導入したアクリル樹脂微粒子（リオスフィア）を加えず、全体量を水で調節したほかは、実施例５と同様にインク組成物及び処理液を調製するとともに、評価した。得られた結果を表１に示す。
【００７３】
［比較例６］
比較例６では、処理液を調製する際に、アクリル基を導入したアクリル樹脂微粒子（リオスフィア）を加えず、全体量を水で調節したほかは、実施例６と同様にインク組成物及び処理液を調製するとともに、評価した。得られた結果を表１に示す。
【００７４】
【表１】
2010046844.tif 000003
ＢＩＥ：ベンゾインブチルエーテル
Ａｃ−Ａｃ：アクリル基を導入したアクリル樹脂微粒子
ＮＶＦ：Ｎ−ビニルフォルムアミド
ＡＣＭＯ：アクリロイルモルホリン
ＤＭＡＡ：Ｎ，Ｎ−ジメチルアクリルアミド
【産業上の利用可能性】
【００７５】
本発明にかかるインクジェット記録方法及びインクジェット記録装置によれば、所定のインク組成物によって画像を形成した部分に対して、重合性樹脂微粒子等を含有した所定の処理液を塗布し、さらに、当該処理液を塗布した部分に対して光照射を行うことにより、画像の表面に所定強度を有する保護膜を速やかに形成することができるようになった。
その結果、高速画像形成を行った場合であっても、オフセットの発生を効果的に抑制できるようになった。
したがって、本願発明にかかるインクジェット記録方法及びインクジェット記録装置は、複写機やプリンター等の各種画像形成装置における高品質化及び高速化に著しく寄与することが期待される。
【図面の簡単な説明】
【００７６】
【図１】図１は、本発明にかかるインクジェット記録方法及びインクジェット記録装置の概要を説明するために供する図である。
【図２】（ａ）〜（ｂ）は、本発明にかかるインクジェット記録方法の概要を説明するために供する図である。
【図３】（ａ）〜（ｃ）は、本発明における処理液の塗布形状及び面積と、インクの吐出形状及び面積と、における態様を説明するために供する図である。
【図４】（ａ）〜（ｂ）は、本発明に使用されるインクジェットヘッドのドット形成部を説明するために供する図である。
【符号の説明】
【００７７】
１：インク組成物タンク、２：処理液タンク、３：処理液塗布手段、４：インクジェットヘッド、５：給紙ローラ、６：搬送機構、７：排出／スイッチバックローラ、８：搬送ガイド板、９：搬送ローラ、１０：光照射手段、２３：処理液、２４：インク、２５：記録媒体、１０１：基板、１０２：加圧室、１０３：ノズル、１０４：ノズル流路、１０５：絞り部、１０６：共通流路、１０７：共通電極、１０８：積層電圧素子、１０９：個別電極、１００：ドット形成部、
【図１】
2010046844.tif 000004
【図２】
2010046844.tif 000005
【図３】
2010046844.tif 000006
【図４】
2010046844.tif 000007